(57)【特許請求の範囲】
【請求項１】
液体を貯蔵するタンク(12)と、該タンク(12)内の液体を抽出して容器に注ぐ抽出コック(13)と、前記タンク(12)内の液体を廃棄するための排液バルブ(17)と、ディスペンサ本体における前記抽出コック(13)の下方に着脱可能に装着される受け皿(18)とを備えるディスペンサであって、
前記排液バルブ(17)の開閉を行う排液レバー(17b)を、閉位置では前記ディスペンサ本体に装着された前記受け皿(18)と非干渉位置に収納され、開位置では前記受け皿(18)の装着位置に突出して該受け皿(18)の前記ディスペンサ本体への装着を不可とするよう構成した
ことを特徴とする排液バルブ締め忘れ防止機能付きディスペンサ。
【発明の詳細な説明】
【０００１】
【発明の属する技術分野】
本発明は、タンク内に貯蔵した液体を排出する排液バルブを有するディスペンサに関し、更に詳細には、排液バルブの閉め忘れを防止する機能を備えたディスペンサに関するものである。
【０００２】
【従来の技術】
図３は、従来の飲料ディスペンサの縦断面図である。お湯や冷水あるいは炭酸飲料等の液体をコップ等の容器に供給する飲料ディスペンサ１の内部には、飲料となる液体を貯蔵するためのタンク２が備え付けられている。このタンク２は、飲料ディスペンサ１の前側に取り付けられた抽出コック３に接続され、この抽出コック３からタンク２の貯蔵液体がコップ等に供給される。
【０００３】
前記タンク２の上部にはオーバーフロー管４が取り付けられており、このオーバーフロー管４は飲料ディスペンサ１の本体下部に設けられている排液接続口５に接続されている。また、タンク２の底面には排液管６が接続され、この排液管６は、排液バルブ７を介して前記排液接続口５に接続してある。
【０００４】
前記飲料ディスペンサ１の本体前面最下部には、前記抽出コック３から漏れ出た液体やコップ等の容器から溢れ出た液体を受ける受け皿８が飲料ディスペンサ１本体に取り付けられている。そして、この受け皿８と抽出コック３との間の該ディスペンサ１本体前面に開閉式カバー９が設けられており、この開閉式カバー９を開けることで、排液バルブ７を手動操作可能となっている。
【０００５】
この飲料ディスペンサ１を設置した喫茶店等では、一日の営業が終わった後に開閉式カバー９を開けて排液バルブ７を開操作し、タンク２内に残った液体飲料を全て廃棄して翌日の営業に備えるようになっている。
【０００６】
【発明が解決しようとする課題】
しかしながら、従来の飲料ディスペンサ１の前述した構造では、タンク２内の液体を排出するために排液バルブ７を開けたまま帰宅してしまった場合、翌日タンク２内に新鮮な液体を供給するとき、排液バルブ７が開いていることを忘れてしまっていることが多く、タンク２内に供給した液体が無駄に廃棄されると云うミスが多くなるという問題がある。
【０００７】
【発明の目的】
本発明は、従来の技術に関するディスペンサに内在している前記欠点に鑑み、これを好適に解決するべく提案されたものであって、タンク内に液体を供給するときに、排液バルブの締め忘れを防止する機能を備えたディスペンサを提供することを目的とする。
【０００８】
【課題を解決するための手段】
前記課題を解決し、所期の目的を達成するため、本発明に係る排液バルブ締め忘れ防止機能付きディスペンサは、
液体を貯蔵するタンクと、該タンク内の液体を抽出して容器に注ぐ抽出コックと、前記タンク内の液体を廃棄するための排液バルブと、ディスペンサ本体における前記抽出コックの下方に着脱可能に装着される受け皿とを備えるディスペンサであって、
前記排液バルブの開閉を行う排液レバーを、閉位置では前記ディスペンサ本体に装着された前記受け皿と非干渉位置に収納され、開位置では前記受け皿の装着位置に突出して該受け皿の前記ディスペンサ本体への装着を不可とするよう構成したことを特徴とする。
【０００９】
【発明の実施の形態】
次に、本発明に係る排液バルブ締め忘れ防止機能付きディスペンサにつき、好適な実施例を挙げて、添付図面を参照しながら以下説明する。
【００１０】
図１は、本発明の一実施例に係る飲料ディスペンサの底面図であり、図２は図１に示す飲料ディスペンサの縦断面図である。本実施例に係る飲料ディスペンサ１０は、お湯や冷水あるいは炭酸飲料等の液体飲料を貯蔵するタンク１２を内部に備えている。このタンク１２内に供給される液体飲料は、外部で製造された飲料をタンク１２内に単に移しただけの飲料でも、またタンク１２内に水やジュース等を供給し、その中に炭酸ガスを溶かし込んだりモータで撹拌しながら製造する飲料等でもよい。
【００１１】
前記飲料ディスペンサ１０の前面中央部には、抽出コック１３が取り付けられており、この抽出コック１３はタンク１２の下部に配管１１を介して接続されている。この抽出コック１３の抽出レバー１３ａを操作することで、タンク１２内の飲料液体が抽出コック１３から図示しないコップ等に抽出される。
【００１２】
前記タンク１２の上部にはオーバーフロー管１４が取り付けられており、このオーバーフロー管１４の他端側は、飲料ディスペンサ１０の本体下部に設けられている排液接続口１５に接続されている。すなわち、タンク１２内でオーバーフローした液体飲料は、このオーバーフロー管１４を介して外部に排出されるようになっている。また、タンク１２の底面には排液管１６が接続されており、この排液管１６の他端側も前記排液接続口１５に接続されている。
【００１３】
本実施例に係る飲料ディスペンサ１０は、この排液管１６の途中に、排液バルブ１７を設けている。この排液バルブ１７は、内部に図示しないバタフライ弁を備え、このバタフライ弁を回転させて排液通路を開閉する軸１７ａが、下側に直角に突設されている。そして、飲料ディスペンサ１０の底面には、前記軸１７ａに嵌合する排液レバー１７ｂが取り付けられており、この排液レバー１７ｂを飲料ディスペンサ１０の底面に沿って軸１７ａを中心に水平回動させることで、排液バルブ１７を開閉することができるよう構成してある。
【００１４】
前記飲料ディスペンサ１０の前側における前記抽出コック１３の下方には、前記抽出コック１３から漏れ出た液体やコップ等の容器から溢れ出た液体を受ける受け皿１８が、該ディスペンサ１０本体に着脱可能に装着されている。排液レバー１７ｂが排液バルブ１７を閉位置に閉めた状態では、排液レバー１７ｂは飲料ディスペンサ１０の底面に隠れた、図１に示す位置(非干渉位置)Ａとなっており、該ディスペンサ１０本体に装着された受け皿１８と排液レバー１７ｂとは非干渉状態になっている。しかし、排液レバー１７ｂが排液バルブ１７を開位置に開いた状態では、排液レバー１７ｂは飲料ディスペンサ１０の正面から受け皿１８の装着位置に所定寸法だけ突出した位置Ｂになっており、この状態では、受け皿１８は排液レバー１７ｂと干渉してディスペンサ１０本体に装着することができない(不可となる)構造に構成されている。
【００１５】
【実施例の作用】
次に、実施例に係る飲料ディスペンサの作用につき、以下に説明する。前記飲料ディスペンサ１０で、一日の営業が終了してタンク１２内に残った液体飲料を廃棄する場合は、受け皿１８を飲料ディスペンサ１０本体から取り外したもとで、該ディスペンサ１０本体底面の位置Ａに在る排液レバー１７ｂを所定方向(図１において時計方向)に回動して位置Ｂにする。これにより、排液バルブ１７が開弁されてタンク１２と排液接続口１５とが連通し、タンク１２内の残留液体は排液接続口１５から廃棄される。
【００１６】
このままの状態で、例えば翌日になって、この飲料ディスペンサ１０を使用可能状態にするには、受け皿１８を該ディスペンサ１０本体に装着しなければならない。しかし、排液バルブ１７が開弁状態になっていると、前記位置Ｂに在る排液レバー１７ｂが邪魔になって受け皿１８をディスペンサ１０本体に装着できない。このため、ユーザは排液バルブ１７が開弁状態になっていることを知り、排液レバー１７ｂを受け皿１８と非干渉状態になる位置Ａに回動して排液バルブ１７を閉弁する。
【００１７】
このように、本実施例の飲料ディスペンサ１０では、受け皿１８の着脱と排液レバー１７ｂの開閉位置とを関連付け、飲料ディスペンサ１０のタンク１２内に液体を供給する場合には必ず排液バルブ１７を閉弁させることが必要な構造としているため、タンク１２への液体供給時に排液バルブ１７の締め忘れを防止することができ、液体が無駄に廃棄されることはなくなる。
【００１８】
【発明の効果】
以上に説明した如く、本発明に係る排液バルブ締め忘れ防止機能付きディスペンサでは、タンク内に液体を供給するときの排液バルブの締め忘れを防止することができ、排液バルブを開いたまま液体をタンク内に供給してしまうミスを無くすことが可能となる。従って、液体が無駄に廃棄されるのは防止される。
【図面の簡単な説明】
【図１】  本発明の一実施例に係る飲料ディスペンサの底面図である。
【図２】  図１に示す飲料ディスペンサの概略縦断面図である。
【図３】  従来の技術に係る飲料ディスペンサの概略縦断面図である。
【符号の説明】
１２ タンク，１３ 抽出コック，１７ 排液バルブ，１７ｂ 排液レバー
１８ 受け皿
【図１】
0004477801.tif 000002
【図２】
0004477801.tif 000003
【図３】
0004477801.tif 000004